(57)【要約】【課題】識別子変換手段を使用せずに端末での待ち受けを実現する。【解決手段】端末は第１のネットワークに接続する第１のインターフェースと、第２のネットワークに接続する第２のインターフェースと、第１のインターフェースの電源をＯＮ、ＯＦＦする制御部と、自端末及び相手端末の識別子を記憶する記憶手段と、相手端末の識別子を入力する識別子入力手段から構成され、端末は第２のインターフェースの電源をＯＮし受信待機状態にしておき、自端末から相手端末に対して送信を行なうときにのみ自端末の制御部によって第１のインターフェースの電源をＯＮにするとともに、第２のネットワーク経由で自端末の第１のネットワークにおける識別子を相手端末に通知し、相手端末は自端末から通知された識別子を判読し、第１のネットワーク経由で自端末の識別子へアクセスすることにより、第１のネットワークを用いて通信できる。【選択図】図１
2005175753.tif 000002
【特許請求の範囲】
【請求項１】
２以上の異なるネットワークインターフェースを有する第１の端末と第２の端末とで通信を行う通信制御方式において、
前記第１の端末が前記第２の端末に対して第１のネットワークを介して通信を行うにあたり、前記第１の端末が前記第１のネットワーク上の前記第１の端末の識別子を第２のネットワークを介して前記第２の端末に通知し、
前記第２の端末は、前記第１のネットワーク上の前記第１の端末の識別子を受信すると、前記第１のネットワークインターフェースに電源を供給し、前記第１のネットワーク上の前記第１の端末の識別子を宛先として前記第１の端末との間で前記第１のネットワークを介した通信を行う
ことを特徴とする通信制御方式。
【請求項２】
前記第１の端末及び第２の端末は、第１のネットワークによる通信が終了すると、前記第１のネットワークインターフェースへの電源の供給を停止することを特徴とする請求項１記載の通信制御方式。
【請求項３】
前記各端末は、他の端末の前記第１のネットワーク上の識別子を登録しており、前記通知された第１のネットワーク上の前記第１の端末の識別子が、前記登録された識別子に含まれる場合にのみ、前記第１のネットワークインターフェースに電源を供給する
ことを特徴とする請求項１または２記載の通信制御方式。
【請求項４】
２以上の異なるネットワークインターフェースを有する通信端末において、第１のネットワークを介して他の端末と通信を行う第１のネットワークインターフェース手段と、
第２のネットワークを介して他の端末と通信を行う第２のネットワークインターフェース手段と、
前記第１のネットワークを介して通信を行うにあたり、自端末から通信を要求する場合は、前記第１のネットワーク上の前記自端末の識別子を第２のネットワークを介して通信相手の端末に通知し、前記通信相手の端末から前記第１のネットワーク上の前記通信相手の端末の識別子を第２のネットワークを介して受信した場合は、前記自端末の前記第１のネットワークインターフェース手段に電源を供給し、前記受信した第１のネットワーク上の前記通信相手の端末の識別子を宛先として、前記第１のネットワークを介して前記通信相手の端末との間で通信を行う制御手段
とを有することを特徴とする通信端末。
【請求項５】
前記制御手段は、第１のネットワークによる通信が終了すると、前記第１のネットワークインターフェースへの電源の供給を停止することを特徴とする請求項４記載の通信端末。
【請求項６】
他の端末の前記第１のネットワーク上の識別子を入力する入力手段と、前記入力手段から入力された前記識別子を記憶する記憶手段を更に有し、
前記制御手段は、前記通知された第１のネットワーク上の前記通信相手の端末の識別子が、前記記憶手段に記憶された識別子に含まれる場合にのみ、記第１のネットワークインターフェースに電源を供給する
ことを特徴とする請求項４または５記載の通信端末。
【発明の詳細な説明】
【技術分野】
【０００１】
本発明は、少なくても２つの異なるネットワークに接続可能な端末間で通信を行なう際の通信制御方式に関するもの、特に携帯電話と無線ＬＡＮの２つの方法でネットワークに接続可能な端末間で通信を行なう際に、無線ＬＡＮインターフェースの電源をＯＦＦにし、携帯電話のインターフェースの電源をＯＮにし、携帯電話でのみ待ち受けを行なっている状態で、携帯電話経由での通信要求によって無線ＬＡＮのインターフェースの電源をＯＮすることで、無線ＬＡＮでの通信を可能にして、優先的に無線ＬＡＮのネットワークを使用して、待ち受け時の消費電力を低減させる通信制御方式及び通信端末に関するものである。
【背景技術】
【０００２】
従来の通信制御方式としては、例えば特許文献１があった。図４は、前記特許文献１に記載された従来の通信制御方式を示すものである。
【０００３】
図４において、端末４１は第１のネットワーク網１０１における識別子１１と第２のネットワーク網１０２における識別子１２を持ち、端末４２は第１のネットワーク網１０１における識別子２１と第２のネットワーク網１０２における識別子２２を持つ。
【０００４】
第１のネットワーク網には識別子変換手段３１がある。この識別子変換手段３１は端末４１の識別子１１と識別子１２、端末４２の識別子２１と識別子２２をそれぞれ対応付けるものであり、あらかじめ識別子１１と識別子１２、識別子２１と識別子２２の対応情報が登録されている。
【０００５】
図１２は端末４１及び端末４２のブロック図である。端末４１は、第１のネットワーク網１０１に接続可能な第１のインターフェース１１１、第２のネットワーク１０２網に接続可能な第２のインターフェース１１２、各インターフェースの電源のＯＮ、ＯＦＦの制御を行なう制御部１１１３を持ち、端末４２は、第１のネットワーク網１０１に接続可能な第１のインターフェース１２１、第２のネットワーク網１０２に接続可能な第２のインターフェース１２２、各インターフェースの電源のＯＮ、ＯＦＦの制御を行なう制御部１１２３を持つ。
【０００６】
端末４１と端末４２は、待ち受け時において第２のインターフェース１１２、１２２の電源はＯＮされているので、第２のネットワークを用いて通信を行なうことは可能である。しかし第１のインターフェース１１１、１２１の電源はＯＦＦされているので、第１のネットワークを用いて通信を行なうことはできない。
【０００７】
第１のネットワーク網１０１としてＩＰアドレスによるネットワーク網、第２のネットワーク網１０２としてＰＨＳのネットワーク網を用い、識別子１１、識別子２１としてグローバルＩＰアドレス、識別子１２、識別子２２としてＰＨＳ電話番号を用いる場合の例を示す。
【０００８】
図４において、端末４１が端末４２に対して通信を開始する場合には、端末４１は、制御部１１１３により第１のインターフェースの電源をＯＮし、端末４１のグローバルＩＰアドレス１１から端末４２のグローバルＩＰアドレス２１へ、ＩＰアドレスによるネットワーク網１０１を用いて、接続要求を開始する。グローバルＩＰアドレス２１への接続要求がなされると、識別子変換手段３１によりＩＰアドレス２１からＰＨＳ電話番号２２への変換が行われ、携帯電話のネットワーク網を経由して端末４２へ対して、ＰＨＳ電話番号２２に対する接続要求がなされる。
【０００９】
端末４２は、ＰＨＳ電話番号２２に対する接続要求がなされると、制御部１１２３により第１のインターフェースの電源をＯＮすることで、ＩＰアドレスによるネットワーク網１０１への接続を可能にし、端末４１と端末４２の通信を実現可能にしていた。
【特許文献１】特開２０００−３１６１７８号公報
【発明の開示】
【発明が解決しようとする課題】
【００１０】
前記従来の構成では識別子変換手段３１が必要であった。例として、第１のネットワーク網としてＩＰアドレスによるネットワーク網１０１、第２のネットワーク網としてＰＨＳのネットワーク網１０２を用い、識別子１１と識別子２１にグローバルＩＰアドレス、識別子１２と識別子２２にＰＨＳ電話番号を用いる。
【００１１】
図５はＩＰアドレスのネットワーク網１０１のブロック図である。端末４１と端末４２はそれぞれ、第１のインターフェース１１１または１２１を用いてプロバイダ１０３と接続し、識別子であるグローバルＩＰアドレス１１または２１を付与される。識別子変換手段３１は、プロバイダ１０３により管理される。
【００１２】
しかしながら、このように端末４１と端末４２の所属するプロバイダが同一である場合は稀であり、通常は図６に示すように端末４１と端末４２が所属しているプロバイダは異なる。端末４１は第１のインターフェース１１１を用いてプロバイダ１０３と接続し、識別子であるグローバルＩＰアドレス１１をプロバイダ１０３から付与される。同様に、端末４２は第１のインターフェース１２１を用いてプロバイダ１０４と接続し、識別子であるグローバルＩＰアドレス２１をプロバイダ１０４から付与される。プロバイダ１０３とプロバイダ１０４は有線によって接続されていて、相互にＩＰアドレスのネットワークによる接続は可能である。
【００１３】
識別子変換手段３１は、ＩＰアドレスによるネットワーク網１０１で管理しなければならないので、プロバイダ１０３とプロバイダ１０４がそれぞれ、端末４１と端末４２に割り当てたグローバルＩＰアドレスの情報を識別子変換手段３１に登録しなければならない。
【００１４】
図６では２つのプロバイダの例を示したが、実際には図７のようにプロバイダの数は多数あり、全プロバイダが各プロバイダに所属する全端末のグローバルＩＰアドレスの情報を、識別子変換手段３１に登録することは困難であるという課題を有していた。他にも、プロバイダ１０３がＤＨＣＰにより端末４１にグローバルＩＰアドレスを割り当てている場合には、端末４１のグローバルＩＰアドレスは頻繁に変更されるので、変更の毎に識別子変換手段３１に再登録する必要があるという課題を有していた。
【００１５】
さらに、識別子１２と識別子２２にＰＨＳ電話番号を用いているので、端末４１のＰＨＳ電話番号１２をプロバイダ１０３、端末２のＰＨＳ電話番号をプロバイダ１０４経由で、識別子変換手段３１に登録する必要がある。
【００１６】
従来例の通信制御方式では、識別子変換手段３１を使うことが必要であったために、端末４１のグローバルＩＰアドレス１１とＰＨＳ電話番号１２、端末４２のグローバルＩＰアドレス２１とＰＨＳ電話番号２２は、識別子変換手段３１に登録されることにより、誰もが知ることができる情報となり、セキュリティ上の問題があるという課題を有していた。
【課題を解決するための手段】
【００１７】
前記従来の課題を解決するために、請求項１記載の発明は、２以上の異なるネットワークインターフェースを有する第１の端末と第２の端末とで通信を行う通信制御方式において、前記第１の端末が前記第２の端末に対して第１のネットワークを介して通信を行うにあたり、前記第１の端末が前記第１のネットワーク上の前記第１の端末の識別子を第２のネットワークを介して前記第２の端末に通知し、前記第２の端末は、前記第１のネットワーク上の前記第１の端末の識別子を受信すると、前記第１のネットワークインターフェースに電源を供給し、前記第１のネットワーク上の前記第１の端末の識別子を宛先として前記第１の端末との間で前記第１のネットワークを介した通信を行うことを特徴とするものである。
【００１８】
また、請求項２記載の発明は、請求項１記載の通信制御方式において、前記第１の端末及び第２の端末は、第１のネットワークによる通信が終了すると、前記第１のネットワークインターフェースへの電源の供給を停止することを特徴とするものである。
【００１９】
また、請求項３記載の発明は、請求項１または記載の通信制御方式において、前記各端末は、他の端末の前記第１のネットワーク上の識別子を登録しており、前記通知された第１のネットワーク上の前記第１の端末の識別子が、前記登録された識別子に含まれる場合にのみ、前記第１のネットワークインターフェースに電源を供給することを特徴とするものである。
【００２０】
また、請求項４記載の発明は、２以上の異なるネットワークインターフェースを有する通信端末において、第１のネットワークを介して他の端末と通信を行う第１のネットワークインターフェース手段と、第２のネットワークを介して他の端末と通信を行う第２のネットワークインターフェース手段と、前記第１のネットワークを介して通信を行うにあたり、自端末から通信を要求する場合は、前記第１のネットワーク上の前記自端末の識別子を第２のネットワークを介して通信相手の端末に通知し、前記通信相手の端末から前記第１のネットワーク上の前記通信相手の端末の識別子を第２のネットワークを介して受信した場合は、前記自端末の前記第１のネットワークインターフェース手段に電源を供給し、前記受信した第１のネットワーク上の前記通信相手の端末の識別子を宛先として、前記第１のネットワークを介して前記通信相手の端末との間で通信を行う制御手段とを有することを特徴とするものである。
【００２１】
また、請求項５記載の発明は、請求項４記載の通信端末において、前記制御手段は、第１のネットワークによる通信が終了すると、前記第１のネットワークインターフェースへの電源の供給を停止することを特徴とするものである。
【００２２】
また、請求項６記載の発明は、請求項４または５記載の通信端末において、他の端末の前記第１のネットワーク上の識別子を入力する入力手段と、前記入力手段から入力された前記識別子を記憶する記憶手段を更に有し、前記制御手段は、前記通知された第１のネットワーク上の前記通信相手の端末の識別子が、前記記憶手段に記憶された識別子に含まれる場合にのみ、記第１のネットワークインターフェースに電源を供給することを特徴とするものである。
【発明の効果】
【００２３】
本発明の通信制御方式によれば、少なくても２つの異なるネットワークに接続される端末において、一方のネットワークに接続された状態で、識別子変換手段を使用せずに他方のネットワークでの待ち受けを実現できる。
【００２４】
また、通信が終了すると、第１のインターフェースの電源をＯＦＦにするので、不要な電力消費が低減され、待ち受け時の消費電力を低減させることが出来る。
【００２５】
また、接続要求を行った端末の識別子が接続要求を受信した端末に登録されている場合にのみ接続を行うので、必要以外の端末からの接続を防ぐことが出来る。
【発明を実施するための最良の形態】
【００２６】
以下、本発明の実施の形態について、図面を参照しながら説明する。
【００２７】
（実施の形態１）
図１は、本発明の実施の形態１における通信制御方式のブロック図である。図２は端末１及び端末２のブロック図である。
【００２８】
端末１は、第１のネットワーク網１０１に接続可能な第１のインターフェース１１１、第２のネットワーク網１０２に接続可能な第２のインターフェース１１２、各インターフェースの電源のＯＮ、ＯＦＦの制御を行なう制御部１１３から構成され、第１のネットワーク網１０１における識別子１１と第２のネットワーク網１０２における識別子１２を有し、各識別子を用いてそれぞれのネットワーク網を通じて通信を行なうことが可能である。また、端末１は自身の識別子または、他の端末の識別子を記憶する記憶手段１１４と、他の端末の識別子を入力するための入力手段１１５から構成される。
【００２９】
同様に、端末２は、第１のネットワーク網１０１に接続可能な第１のインターフェース１２１、第２のネットワーク網１０２に接続可能な第２のインターフェース１２２、各インターフェースの電源のＯＮ、ＯＦＦの制御を行なう制御部１２３から構成され、第１のネットワーク網１０１における識別子２１と第２のネットワーク網１０２における識別子２２を有し、各識別子を用いてそれぞれのネットワークを通じて通信を行なうことが可能である。また、端末２は自身の識別子または、他の端末の識別子を記憶する記憶手段１２４と、他の端末の識別子を入力するための入力手段１２５から構成される。
【００３０】
端末１と端末２は、待ち受け時において第２のインターフェース１１２、１２２の電源はＯＮされているので、第２のネットワーク網１０２を用いて通信を行なうことは可能である。しかし第１のインターフェース１１１、１２１の電源はＯＦＦされているので、第１のネットワーク網１０１を用いて通信を行なうことはできない。
【００３１】
例として、第１のネットワーク網としてＩＰアドレスによるネットワーク網１０１、第２のネットワーク網として携帯電話のネットワーク網１０２を用い、識別子１１と識別子２１にグローバルＩＰアドレス、識別子１２と識別子２２にメールアドレスを用いた場合の説明を行なう。また、第１のネットワーク網１０１を図１１に示す。
【００３２】
端末１が端末２に対して通信を開始する場合には、制御部１１３が第１のインターフェース１１１の電源をＯＮにして、ＩＰアドレスによるネットワーク網１０１に接続可能な状態にする。端末１は第１のインターフェース１１１を用いてプロバイダ１０３と接続し、識別子であるグローバルＩＰアドレス１１をプロバイダ１０３から付与される。この時に、端末１は記憶手段１１４に自身のグローバルＩＰアドレス１１を記憶する。この例では、端末１に割り当てられたグローバルＩＰアドレスは固定的であるとする。端末１は記憶手段１１４に自身の識別子であるメールアドレス１２は常に記憶している。
【００３３】
端末１は、端末２の識別子であるメールアドレス２２を入力手段１１５から入力することができ、一度入力したメールアドレス２２は記憶手段１１４に記憶することができる。端末１は、第２のインターフェース１１２から自身のメールアドレス１２を識別子として携帯電話のネットワーク網１０２を用い、端末２のメールアドレス２２に対してメールを送信する。このメール送信の際に、端末１はＩＰアドレスによるネットワーク網１０１の識別子であるグローバルＩＰアドレス１１を端末２に対して通知する。
【００３４】
端末２は記憶手段１２４に自身の識別子であるメールアドレス２２は常に記憶している。端末２は、携帯電話のネットワーク網１０２経由で端末１からメールを受信し、端末１のＩＰアドレスによるネットワーク網１０１における識別子であるグローバルＩＰアドレス１１を通知されると、制御部１２３が第１のインターフェース１２１の電源をＯＮする。この時に、端末２は端末１の識別子としてグローバルＩＰアドレス１１とメールアドレス１２を記憶手段１２４に記憶することができる。
【００３５】
端末２は第１のインターフェース１２１を用いてプロバイダ１０４と接続し、識別子であるグローバルＩＰアドレス２１をプロバイダ１０４から付与される。この時に、端末２は記憶手段１２４に自身のグローバルＩＰアドレス２１を記憶する。この例では、端末２に割り当てられたグローバルＩＰアドレスは固定的であるとする。
【００３６】
端末２は、第１のインターフェース１２１から、送信元をグローバルＩＰアドレス２１、あて先をグローバルＩＰアドレス１１のＵＤＰ／ＩＰパケットを送信する。
【００３７】
図１１の第１のネットワーク網１０１はＩＰアドレスによるネットワーク網であり、プロバイダ１０３とプロバイダ１０４は有線で接続されている。前記ＵＤＰ／ＩＰのパケットは、図１１の第１のネットワーク網１０１を通って、あて先である端末１の第１のインターフェース１１１に届けられる。
【００３８】
端末１は、前記ＵＤＰ／ＩＰパケットを受信すると、端末２に対してＩＰアドレスによるネットワーク網１０１を用いて通信可能であることがわかり、これによって端末１から端末２に対してＩＰアドレスによるネットワーク網１０１を用いて通信を行なうことが可能となる。図３に実施の形態１のフロー図を示す。
【００３９】
（実施の形態２）
実施の形態２では、端末１と端末２のＩＰアドレスによるネットワーク網１０１での通信が終了すると、端末１と端末２は、制御部１１３、制御部１２３によって第１のインターフェース１１１、１２１の電源がＯＦＦされるものである。
【００４０】
通信制御方式のブロック図を図１、端末１及び端末２のブロック図を図２、第１のネットワーク網１０１を図１１として、同じ構成要素であり同じ符号を用い説明を省略する。
【００４１】
端末１は、実施の形態１に示したように前記ＵＤＰ／ＩＰパケットを受信すると、端末２に対してＩＰアドレスによるネットワーク網１０１を用いて通信可能であることがわかり、これによって端末１から端末２に対してＩＰアドレスによるネットワーク網を用いて通信を行なうことが可能となる。
【００４２】
端末１において、ＩＰアドレスによるネットワーク網１０１を用いた通信が終了すると、制御部１１３が第１のインターフェース１１１の電源をＯＦＦし待ち受け状態になる。同様に、端末２において、ＩＰアドレスによるネットワーク網１０１を用いた通信が終了すると、制御部１２３が第１のインターフェース１２１の電源をＯＦＦし待ち受け状態になる。
【００４３】
本実施の形態により、通信が終了すると、第１のインターフェースの電源をＯＦＦにするので、不要な電力消費が低減され、待ち受け時の消費電力を低減させることが出来る。
【００４４】
図８に実施の形態２のフロー図を示す。
【００４５】
（実施の形態３）
実施の形態３は、端末におけるグローバルＩＰアドレスが、プロバイダからＤＨＣＰによって付与されるものである。
【００４６】
通信制御方式のブロック図を図１、端末１及び端末２のブロック図を図２、第１のネットワーク網１０１を図１１として、同じ構成要素であり同じ符号を用い説明を省略する。
【００４７】
端末１が端末２に対して通信を開始する場合には、制御部１１３が第１のインターフェース１１１の電源をＯＮにして、ＩＰアドレスによるネットワーク網１０１に接続可能な状態にする。端末１は第１のインターフェース１１１を用いてプロバイダ１０３と接続し、識別子であるグローバルＩＰアドレス１１をプロバイダ１０３から付与される。この時に、端末１は記憶手段１１４に自身のグローバルＩＰアドレス１１を記憶する。
【００４８】
端末１に割り当てられたグローバルＩＰアドレス１１はＤＨＣＰで割り当てられ固定的ではないので、制御部１１３により第１のインターフェース１１１の電源がＯＦＦされると、記憶手段１１４はグローバルＩＰアドレス１１を消去する。端末１は記憶手段１１４に自身の識別子であるメールアドレス１２は常に記憶している。
【００４９】
端末１は、端末２の識別子であるメールアドレス２２を入力手段１１５から入力することができ、一度入力したメールアドレス２２は記憶手段１１４に記憶することができる。端末１は、第２のインターフェース１１２から自身のメールアドレス１２を識別子として携帯電話のネットワーク網１０２を用い、端末２のメールアドレス２２に対してメールを送信する。このメール送信の際に、端末１はＩＰアドレスによるネットワーク網１０１の識別子であるグローバルＩＰアドレス１１を端末２に対して通知する。
【００５０】
端末２は記憶手段１２４に自身の識別子であるメールアドレス２２は常に記憶している。端末２は、携帯電話のネットワーク網１０２経由で端末１からメールを受信し、端末１のＩＰアドレスによるネットワーク網１０１における識別子であるグローバルＩＰアドレス１１を通知されると、制御部１２３が第１のインターフェース１２１の電源をＯＮする。この時に、端末２は端末１の識別子としてグローバルＩＰアドレス１１とメールアドレス１２を記憶手段１２４に記憶することができる。
【００５１】
端末２は第１のインターフェース１２１を用いてプロバイダ１０４と接続し、識別子であるグローバルＩＰアドレス２１をプロバイダ１０４から付与される。この時に、端末２は記憶手段１２４に自身のグローバルＩＰアドレス２１を記憶する。
【００５２】
端末２に割り当てられたグローバルＩＰアドレス２１はＤＨＣＰで割り当てられ固定的ではないので、制御部１２３により第１のインターフェース１２１の電源がＯＦＦされると、記憶手段１２４はグローバルＩＰアドレス２１を消去する。端末２は記憶手段１２４に自身の識別子であるメールアドレス２２は常に記憶している。
【００５３】
端末２は、第１のインターフェース１２１から、送信元をグローバルＩＰアドレス２１、あて先をグローバルＩＰアドレス１１のＵＤＰ／ＩＰパケットを送信する。
【００５４】
図１１の第１のネットワーク網１０１はＩＰアドレスによるネットワーク網であり、プロバイダ１０３とプロバイダ１０４は有線で接続されている。前記ＵＤＰ／ＩＰのパケットは、図１１の第１のネットワーク網１０１を通って、あて先である端末１の第１のインターフェース１１１に届けられる。
【００５５】
端末１は、前記ＵＤＰ／ＩＰパケットを受信すると、端末２に対してＩＰアドレスによるネットワーク網１０１を用いて通信可能であることがわかり、これによって端末１から端末２に対してＩＰアドレスによるネットワーク網を用いて通信を行なうことが可能となる。
【００５６】
端末１において、ＩＰアドレスによるネットワーク網１０１を用いた通信が終了すると、制御部１１３が第１のインターフェース１１１の電源をＯＦＦし待ち受け状態になる。この際に、端末１は、記憶手段１１４に記憶されているグローバルＩＰアドレスの情報を消去する。同様に、端末２において、ＩＰアドレスによるネットワーク網１０１を用いた通信が終了すると、制御部１２３が第１のインターフェース１２１の電源をＯＦＦし待ち受け状態になる。この際に、端末２は、記憶手段１２４に記憶されているグローバルＩＰアドレスの情報を消去する。図９に実施の形態３のフロー図を示す。
【００５７】
（実施の形態４）
実施の形態４では、端末２において受信したメールアドレスの送信者のメールアドレス１２が、記憶手段１２４に記憶されている場合にのみ、制御部１２３が第１のインターフェース１２１の電源をＯＮするものである。
【００５８】
通信制御方式のブロック図を図１、端末１及び端末２のブロック図を図２、第１のネットワーク網１０１を図１１として、同じ構成要素であり同じ符号を用い説明を省略する。
【００５９】
端末１は、端末２の識別子であるメールアドレス２２を入力手段１１５から入力することができ、一度入力したメールアドレス２２は記憶手段１１４に記憶することができる。また、端末２は、端末１の識別子であるメールアドレス１２を入力手段１２５から入力することができ、一度入力したメールアドレス１２は記憶手段１２４に記憶することができる。
【００６０】
端末１は、第２のインターフェース１１２から自身のメールアドレス１２を識別子として携帯電話のネットワーク網１０２を用い、端末２のメールアドレス２２に対してメールを送信する。このメール送信の際に、端末１はＩＰアドレスによるネットワーク網１０１の識別子であるグローバルＩＰアドレス１１を端末２に対して通知する。
【００６１】
端末２は記憶手段１２４に自身の識別子であるメールアドレス２２は常に記憶している。端末２は、携帯電話のネットワーク網１０２経由で端末１からメールを受信し、端末１のＩＰアドレスによるネットワーク網１０１における識別子であるグローバルＩＰアドレス１１を通知されると、端末１の携帯電話のネットワーク網１０２における識別子であるメールアドレス１２が、記憶手段１２４に記憶されていることの確認を行なう。
【００６２】
メールアドレス１２が記憶手段１２４に記憶されていれば、制御部１２３が第１のインターフェース１２１の電源をＯＮする。この時に、端末２は端末１の識別子としてグローバルＩＰアドレス１１を記憶手段１２４に記憶することができる。
【００６３】
端末２は第１のインターフェース１２１を用いてプロバイダ１０４と接続し、識別子であるグローバルＩＰアドレス２１をプロバイダ１０４から付与される。この時に、端末２は記憶手段１２４に自身のグローバルＩＰアドレス２１を記憶する。この例では、端末２に割り当てられたグローバルＩＰアドレスは固定的であるとする。
【００６４】
端末２は、第１のインターフェース１２１から、送信元をグローバルＩＰアドレス２１、あて先をグローバルＩＰアドレス１１のＵＤＰ／ＩＰパケットを送信する。
【００６５】
図１１の第１のネットワーク網１０１はＩＰアドレスによるネットワーク網であり、プロバイダ１０３とプロバイダ１０４は有線で接続されている。前記ＵＤＰ／ＩＰのパケットは、図１１の第１のネットワーク網１０１を通って、あて先である端末１の第１のインターフェース１１１に届けられる。
【００６６】
端末１は、前記ＵＤＰ／ＩＰパケットを受信すると、端末２に対してＩＰアドレスによるネットワーク網１０１を用いて通信可能であることがわかり、これによって端末１から端末２に対してＩＰアドレスによるネットワーク網１０１を用いて通信を行なうことが可能となる。
【００６７】
本実施の形態により、接続要求を行った端末のメールアドレスが接続要求を受信した端末に登録されている場合にのみ接続を行うので、必要以外の端末からの接続を防ぐことが出来る。
【００６８】
図１０に実施の形態４のフロー図を示す。
【産業上の利用可能性】
【００６９】
本発明にかかる通信制御方式は、携帯電話と無線ＬＡＮの２つのインターフェースを持つ端末において、無線ＬＡＮのインターフェースの電源ＯＦＦした状態で、待ち受けができるので、消費電力の低減等として有用である。
【図面の簡単な説明】
【００７０】
【図１】本発明の実施の形態１における通信制御方式のブロック図
【図２】本発明の実施の形態１における端末１、端末２のブロック図
【図３】本発明の実施の形態１におけるフロー図
【図４】従来の通信制御方式のブロック図
【図５】従来のプロバイダが１つの場合の第１のネットワーク網のブロック図
【図６】従来のプロバイダが２つの場合の第１のネットワーク網のブロック図
【図７】従来のプロバイダが複数の場合の第１のネットワーク網のブロック図
【図８】本発明の実施の形態２におけるフロー図
【図９】本発明の実施の形態３におけるフロー図
【図１０】本発明の実施の形態４におけるフロー図
【図１１】本発明の実施の形態１のプロバイダが２つの場合の第１のネットワーク網のブロック図
【図１２】従来の通信制御方式における端末のブロック図
【符号の説明】
【００７１】
１    端末
２    端末
１１    端末１の第１のネットワークにおける識別子
１２    端末１の第２のネットワークにおける識別子
２１    端末２の第１のネットワークにおける識別子
２２    端末２の第２のネットワークにおける識別子
３１    識別子変換手段
４１    端末
４２    端末
４３    端末
４４    端末
１０１    第１のネットワーク網
１０２    第２のネットワーク網
１０３    プロバイダ
１０４    プロバイダ
１１１    端末１の第１のインターフェース
１１２    端末１の第２のインターフェース
１１３    端末１の制御部
１１４    端末１の記憶手段
１１５    端末１の入力手段
１２１    端末２の第１のインターフェース
１２２    端末２の第２のインターフェース
１２３    端末２の制御部
１２４    端末２の記憶手段
１２５    端末２の入力手段
１１１３    制御部
１１２３    制御部
【図１】
2005175753.tif 000003
【図２】
2005175753.tif 000004
【図３】
2005175753.tif 000005
【図４】
2005175753.tif 000006
【図５】
2005175753.tif 000007
【図６】
2005175753.tif 000008
【図７】
2005175753.tif 000009
【図８】
2005175753.tif 000010
【図９】
2005175753.tif 000011
【図１０】
2005175753.tif 000012
【図１１】
2005175753.tif 000013
【図１２】
2005175753.tif 000014